(57)【要約】【解決手段】外来外科センターはハイブリッド手術室を含みうる。ハイブリッド手術室は少なくとも１つの鉛遮蔽壁、床及び天井を含みうる。外来外科センターはハイブリッド手術室に配置された撮像装置も含みうる。外来外科センターはさらに、ハイブリッド手術室に配置された手術台も含みうる。外来外科センターは、手術室に隣接する電源室をさらに含みうる。電源室は撮像装置用の電源を含みうる。また、外来外科センターはさらに、電源室から撮像装置への電線管であって、電力を撮像装置に配電するように構成された電線管も含みうる。
2018505332.tif 000002
【特許請求の範囲】
【請求項１】
少なくとも１つの鉛遮蔽壁、床及び天井を含むハイブリッド手術室と、
前記ハイブリッド手術室に配置された撮像装置と、
前記ハイブリッド手術室に配置された手術台と、
前記撮像装置用の電源を含む、前記手術室の近傍の電源室と、
前記電源室から前記撮像装置への電線管であって、電力を前記撮像装置に配電するように構成された電線管と、
を備えた外来外科センターであって、
当該外来外科センターのための建築物は、当初、国際建築基準（ＩＢＣ）クラスＢ基準に則って構築されたものである外来外科センター。
【請求項２】
当該外来外科センターが、鉄、コンクリートまたは石造りフレームの建築物構造を含む、請求項１記載の外来外科センター。
【請求項３】
前記電線管は、床下、地上または天井の上方に位置する、請求項１記載の外来外科センター。
【請求項４】
さらに、前記ハイブリッド手術室に対して医療用ガスを供給及び備蓄するように構成された設備を備えた、請求項１記載の外来外科センター。
【請求項５】
前記撮像装置はＸ線透視装置を含む、請求項１記載の外来外科センター。
【請求項６】
前記Ｘ線透視装置は、ＣＩＮＥ及びデジタルサブトラクションを行う能力のある固定式Ｃアーム装置を含む、請求項５記載の外来外科センター。
【請求項７】
前記少なくとも１つの鉛遮蔽壁は、少なくとも７フィートの高さまで遮蔽されている、請求項１記載の外来外科センター。
【請求項８】
前記少なくとも１つの鉛遮蔽壁は、８フィートよりも低い高さまで遮蔽されている、請求項７記載の外来外科センター。
【請求項９】
前記ハイブリッド手術室はハイブリッド手術室を含む建築物の最上階にあり、前記天井は鉛シールドまたは他の種類の放射線シールドを含まない、請求項１記載の外来外科センター。
【請求項１０】
前記撮像装置は、前記床に固定された放射線部材と、前記天井に固定されたモニター部材とを含む、請求項１記載の外来外科センター。
【請求項１１】
前記撮像装置は、前記天井に固定された放射線部材と、前記天井に固定されたモニター部材とを含む、請求項１記載の外来外科センター。
【請求項１２】
当該外来外科センターは病院に隣接しておらず病院内にもない、請求項１記載の外来外科センター。
【請求項１３】
当該外来外科センターは事務所に隣接しており且つ防火壁で隔離されている、請求項１記載の外来外科センター。
【請求項１４】
前記電源室は、少なくとも２０８ＶＡＣを採用する電力を提供するように構成されている、請求項１記載の外来外科センター。
【請求項１５】
前記電源室は、前記少なくとも２０８ＶＡＣを採用する電力を提供するように構成されている昇圧器を含む、請求項１４記載の外来外科センター。
【請求項１６】
さらに換気システムを備え、当該換気システムは単位時間当たり少なくとも２０室換気を前記ハイブリッド手術室に提供するように構成されている、請求項１記載の外来外科センター。
【請求項１７】
当該外来外科センターは２０，０００平方フィート以下である、請求項１記載の外来外科センター。
【請求項１８】
さらに、停電中に前記ハイブリッド手術室における外科手術を継続しうるように構成された、少なくとも前記撮像装置用の緊急電源を備えた、請求項１記載の外来外科センター。
【請求項１９】
外来外科センターの製作方法であって、
少なくとも１つの鉛遮蔽壁、床及び天井を含むハイブリッド手術室を建築することと、
前記少なくとも１つの壁を鉛で遮蔽することと、
前記ハイブリッド手術室に配置される撮像装置を据え付けることと、
前記ハイブリッド手術室に配置される手術台を据え付けることと、
前記手術室の近傍に電源室を建築することと、
前記撮像装置用の電源を前記電源室に据え付けることと、
前記電源室から前記撮像装置へ電力を供給するように構成された電線管を取り付けることと、
を含み、
前記建築することは、当初、国際建築基準（ＩＢＣ）クラスＢ基準に則るように構築された建築物から当該外来外科センターを構築することを含む、外来外科センターの製作方法。
【請求項２０】
前記当初に構築された建築物が、鉄、コンクリート、または石造りフレームの建築物構造を含む、請求項１９記載の方法。
【請求項２１】
当該外来外科センターは事務所に隣接しており且つ防火壁で隔離されている、請求項１９記載の方法。
【請求項２２】
さらに、停電中に前記ハイブリッド手術室における外科手術を継続しうるように構成された、少なくとも前記撮像装置用の緊急電源を据え付けることを含む、請求項１９記載の方法。
【請求項２３】
放射線シールドを備えたハイブリッド手術室と、
前記ハイブリッド手術室に配置された撮像装置と、
前記ハイブリッド手術室に配置された手術台と、
手術室の近傍の電源室であって、前記撮像装置用の電源を含む電源室と、
前記電源室から前記撮像装置への電線管であって、電力を前記撮像装置に配電するように構成された電線管と、
を備えた建築物であって、
当該建築物はその床面積が２０，０００平方フィート以下である、建築物。
【発明の詳細な説明】
【技術分野】
【０００１】
［関連出願の相互参照］
本出願は、２０１４年３月１９日出願の米国特許出願第１４／２１９，８８０の一部継続出願である、２０１４年１２月４日出願の米国特許出願第１４／５６０，７２１号の優先権を主張するものであり、それら全体が参照により本明細書に援用される。
【０００２】
［技術分野］
病院以外の様々な医療センターは、外科・固定撮像複合サービスを有することで利益を得ることができる。例えば、外来外科センターは、そのような外科業務と固定撮像業務を組み合わせるハイブリッド手術室を有することで利益を得ることができる。
【背景技術】
【０００３】
手術室における外科・固定撮像複合サービスは病院施設においてのみ提供されてきた。病院施設は概して、当該病院施設を建築し運営するに要する費用に大幅に加わることとなる厳格な安全性要求事項を満たす様々な特別な特徴を備えて設計されている。例えば一般的に、病院は厳格な建築基準法を遵守して構成されている。病院は、例えば、国際建築基準（Ｉｎｔｅｒｎａｔｉｏｎａｌ  Ｂｕｉｌｄｉｎｇ  Ｃｏｄｅ：ＩＢＣ）に則ってインスティテューショナルグループ（Ｉｎｓｔｉｔｕｔｉｏｎａｌ  Ｇｒｏｕｐ）Ｉ−２として分類されており、占有物は、自己防衛が出来ない５人を超える人のための２４時間単位で運営される医療目的に用いられる建築物及び構造物を含むことを意味する。また、病院は一般的に、部分的に特別に必要とされる建材のような防火に関する高度な要求事項がある。なぜなら、上記の通り、病院の占有者はしばしば自己防衛が出来ないからである。
【０００４】
さらに病院は、伝統的に様々な機器を備えている。通常、病院は多くの病院用ベッドを備える。同様に、通常、病院には患者室があり、そこにこれらの病院用ベッドや患者用トイレを収容しうる。病院のサイズは、しばしば当該病院が保有するベッド数で示される。さらに病院は多くの場合、薬局、研究室、死体安置所や、放射線設備、感染症隔離、給餌設備、リネン設備、緊急設備などを提供する施設、のような他の施設をも含む。
【０００５】
さらに病院は、災害応答計画、指針及び機能と共に、主要構造及び設備に対する災害防止対策を有することが必要とされている。同様に、病院サイズの観点から、大抵の病院は中央設備（例えば中央消毒設備）、資材管理、環境設備及びエンジニアリング設備を備える。
【０００６】
従来の考えによれば、手術室における外科・固定撮像複合サービスは病院という状況において最も適切に提供される。例えば、撮像機器は多くの場合、重量があり、またかなりの電力を必要とする。病院は、その巨大なインフラストラクチャから、容易にその様な要求に対応できる。また、撮像機器はＸ線のような放射線を用いるために、多くの場合、遮蔽を必要とする。さらに、病院のインフラストラクチャは従来、その様な目的に安全に対応するように構成されている唯一の医療施設インフラストラクチャであると考えられている。例えば、通常の病院の厚いコンクリート壁や床は放射線を遮蔽するのに役立つ。
【０００７】
病院における外科・固定撮像複合サービスを提供する手術室は比較的大きい。例えば、病院における典型的な外科・固定撮像複合手術室は、８００〜１０００平方フィートの範囲となるであろう。例えば、病院の手術室はそのような比較的大型サイズのものを必要とする。それは、通常、病院で行われているような、例えば、心臓、胸部、血管、産科、婦人科、整形外科、足治療、泌尿器科、耳鼻咽喉科、神経外科、外傷、眼科、胃腸科、移植、一般外科、結腸直腸手術、手の手術、内分泌外科、乳腺手術、形成外科、頭頸部手術、外科腫瘍学、小児外科、脊椎外科、口腔顎顔面外科などのような、２０から３０の異なる外科専門医及び副専門医の仕事に対応するためである。
【０００８】
さらに、病院は通常、高品質で高性能のナースコールシステムと共に、特に強固な感染性保菌生物隔離を備える必要がある。病院はまた空中音響透過及び水温要求事項を制御する必要がある。病院は通常、その試験の数及び量について厳格な要求事項を伴う医療用ガスシステムも有する。同様に、病院のエレベータはストレッチャーの往来に対応するのに十分な大きさである必要がある。
【０００９】
上記の様に、病院は通常、特殊な消防規則要求事項がある。例えば、病院の建設資材は不燃性でなければならず、緊急時には患者やスタッフに安全を提供しなければならない。病院は天災発生時には必要不可欠であると見なされるので、病院は、地震、洪水などの重大事態に持ちこたえねばならない。その構造は、当該構造から立ち退くのではなく、その場所で当該構造を守るという選択を提供するように設計される必要もある。
【００１０】
その様な目的を支援すべく、病院は、暖房、換気、及び空調（ＨＶＡＣ）、電力、水供給、水加熱のような重要設備の余剰を有する必要があってもよい。さらに、内壁や天井の仕上げ材を含む建物を構築するのに用いられる材料は、超低延焼性インデックスのような厳格な火災要求事項を満たさなければならない。他の同様の補強及び保護についても同じ様に要求されるであろう。要するに、病院は通常は、非常に改善されたインフラストラクチャを備えることが必要である。
【００１１】
一方、従来の外来外科センター（Ａｍｂｕｌａｔｏｒｙ  Ｓｕｒｇｉｃａｌ  Ｃｅｎｔｅｒ：ＡＳＣ）は、事務所用建築物内に構築することができる。これらの建築物は様々な基準要求事項があるが、通常、これらの要求事項はそれほど厳格ではなく、よって病院を建築する費用と比べて多大なコスト削減を伴って実現しうる。例えば、ＩＢＣクラスＢ構造といって、ＡＳＣを収容しうる構造は、典型的には病院の建築に関連するようなＩＢＣクラスＩ−２構造よりも著しく低い厳格さの構造要求事項を有する。同様に、ＡＳＣ用の換気要求事項や他の要求事項は、ＡＳＣ用の方が病院用よりもそれほど厳格でなくてもよい。本検討においては、クラスＢは、国際建築基準（２０１２年版）、第３章、第３０４節「ビジネスグループＢ」に記載されている様な、使用及び占有の分類を参照しうる。
【００１２】
同様に、ＡＳＣは、薬局、研究室、死体安置所、リネン設備、給餌設備などを通常は必要としない。実際に、ＡＳＣは、患者が泊まりがけで滞在することが考えられないので、通常は病院用ベッドを保有しない。
【００１３】
同様に、ＡＳＣにおける通常の手術室は病院におけるものよりも小さくてもよい。例えば、ＡＳＣにおける手術室は６００平方フィート未満、また多分４２５平方フィート程度の小ささであってもよい。さらに、ＡＳＣは一般的に、通常の病院で提供される２０から３０の外科専門医ではなく、たった１人から１０人程度の異なる外科専門医を提供しうる。
【００１４】
ＡＳＣは、本明細書やその他において様々に表現されうる。例えばＡＳＣは、外科手術センター、クリニック、外来患者外科センターなどとも呼びうる。したがって、本明細書また他において、用語ＡＳＣは、一般的に、ＡＳＣ，クリニック、外来患者外科センター及びこれらに類する同様の構造物を指すことができる。
【発明の概要】
【００１５】
ある実施態様によれば、外来外科センターはハイブリッド手術室を含みうる。ハイブリッド手術室は少なくとも１つの鉛遮蔽壁、床及び天井を含みうる。当該外来外科センターは前記ハイブリッド手術室に配置された撮像装置も含みうる。当該外来外科センターはさらに、前記ハイブリッド手術室に配置された手術台も含みうる。当該外来外科センターは、前記手術室の近傍に電源室をさらに含むことができ、ここで前記電源室は撮像装置用の電源を含む。また、当該外来外科センターはさらに、前記電源室から前記撮像装置への電線管であって、電力を前記撮像装置に供給するように構成された電線管も含みうる。当該外来外科センターのための建築物は、当初から国際建築基準（ＩＢＣ）クラスＢ基準に則って構築されているものであってもよい。
【００１６】
ある実施態様において、外来外科センターの製作方法は、ハイブリッド手術室を建築することを含みうる。前記ハイブリッド手術室は少なくとも１つの鉛遮蔽壁、床及び天井を含みうる。当該方法は、前記少なくとも１つの壁を鉛で遮蔽することを含みうる。さらに当該方法は、前記ハイブリッド手術室に配置される撮像装置を据え付けることを含みうる。当該方法は、前記ハイブリッド手術室に配置される手術台を据え付けることをさらに含みうる。当該方法はまた、前記手術室の近傍に電源室を建築することを含みうる。当該方法はさらに、前記撮像装置用の電源を前記電源室に据え付けることを含みうる。当該方法は、前記電源室から撮像装置へ電力を供給するように構成された電線管を取り付けることもさらに含みうる。前記建築することはさらに、当初から国際建築基準（ＩＢＣ）クラスＢ基準に則るように構築されている建築物から当該外来外科センターを構築することを含みうる。
【００１７】
ある実施態様による建築物はハイブリッド手術室を含むことができ、ここでハイブリッド手術室は放射線シールドを含む。当該建築物は、前記ハイブリッド手術室に配置された撮像装置も含みうる。当該建築物は前記ハイブリッド手術室に配置された手術台をさらに含みうる。当該建築物は、前記手術室の近傍に電源室をさらに含むことができ、ここで電源室は撮像装置用の電源を含む。当該建築物は、撮像装置へ電力を供給するように構成された電源室から撮像装置への電線管も含みうる。当該建築物はその床面積が２０，０００平方フィート以下でありうる。
【００１８】
本発明を正しく理解するために、添付の図面を参照する。
【図面の簡単な説明】
【００１９】
【図１】図１は、本発明のある実施態様による外来外科センターの断面を示す。
【図２】図２は、本発明のある実施態様による外来外科センターを製作する方法を示す。
【図３】図３は、本発明のある実施態様による他の外来外科センターの断面を示す。
【発明を実施するための形態】
【００２０】
本発明のある実施態様によれば、手術室内における外科・固定撮像複合サービスは、外来外科センター、外来患者外科センターなど（これらを総括的に外来外科センター（ＡＳＣ）と呼びうる）において提供されうる。
【００２１】
図１は、ある実施態様による外来外科センターの断面を示す。図１に示すように、外来外科センター１００はハイブリッド手術室１０５を含みうる。ハイブリッド手術室１０５は１以上の鉛遮蔽壁１１０を含みうる。断面図では２つの壁のみを示しているが、示されているものに対して直角にさらに２つあってもよい。ハイブリッド手術室はまた、床１１５及び天井１２０を含んでもよい。図示していない遮蔽ドアが鉛遮蔽壁に設けられていてもよい。鉛に加えて他の遮蔽材料も、ある実施態様においては許容される。これらのドアは、廊下または他の部屋へと通じていてよい。
【００２２】
所定の限度、例えば８フィートよりも低い高さまで遮蔽された鉛遮蔽壁１１０があってもよい。よって、鉛遮蔽壁１１０は、天井１２０の高さより低い、たとえば少なくとも７フィートの高さまで遮蔽されていてもよい。他の高さも許容される。天井１２０は、ある実施態様においては、鉛シールドまたはあらゆる他のタイプの放射線シールドを含まなくてもよい。外来外科センター１００が１階建ての建物の場合、または外来外科センター１００が事務所用建築物の最上階にある場合にこれは特に適用しうる。これに対して他の実施態様において、天井１２０は、遮蔽されていてよい。例えば、外来外科センター１００が多層建築物の低層に位置する場合に、そのようなシールドを設けてもよい。
【００２３】
同様に、床１１５は、外来外科センター１００または建築物の残りの部分に対するハイブリッド手術室１０５の位置によって、遮蔽されていても、遮蔽されていなくてもよい。例えば、外来外科センター１００が２階にある場合、床１１５は（鉛あるいは他の放射線遮蔽材料で）遮蔽されていてよく、一方、外来外科センター１００が１階あるいは地階にある場合、床１１５を遮蔽する必要はないであろう。地階においては、１つあるいはあらゆる壁に追加の遮蔽を施す必要はないであろう。
【００２４】
ある材料が、その材料の反対側にいる人間を放射線源から十分に保護するものであれば、その材料はシールドとみなすことができる。保護が十分かどうかは、安全被曝レベルと見なされるレベルや、シールドの反対側の人間の予想滞留時間といった要因に依存するであろう。
【００２５】
外来外科センター１００は、ハイブリッド手術室１０５内、例えばハイブリッド手術室１０５の中央領域に配置された撮像装置１２５ａ，１２５ｂも含みうる。外来外科センター１００はさらに、ハイブリッド手術室１０５内、例えば、ハイブリッド手術室１０５の中央領域に配置された手術台１３０をさらに含みうる。手術台１３０は断面のために脚部無しで示されているが、脚部、車輪などを備えていてよい。手術台１３０は固定位置にあってもよく、あるいは例えば患者の位置合わせをするように移動可能としていてもよい。
【００２６】
撮像装置１２５ａ，１２５ｂはＸ線透視装置であるか、それを含んでいてもよい。Ｘ線透視装置は、とりわけＸ線映像撮影（ＣＩＮＥ）及びデジタルサブトラクションを行う能力のある、固定式Ｃアーム装置を含みうる。撮像装置１２５ａ，１２５ｂは床１１５または天井１２０に固定された放射線部材１２５ｂと、天井１２０に固定されたモニター部材１２５ａとを含みうる。あるいは、モニター部材１２５ａを床１１５に固定しうる。他の実施態様においては、モニター部材１２５ａと放射線部材１２５ｂ、あるいは当該部材の何れかが、１以上の壁に固定されうる。
【００２７】
外来外科センター１００はさらに、手術室に隣接する電源室１３５を含みうる。電源室１３５は、撮像装置１２５ａ，１２５ｂ用の電源１４０を含みうる。外来外科センター１００は、電力を撮像装置１２５ａ，１２５ｂに配電するように構成された、電源室１３５から撮像装置１２５ａ，１２５ｂへの１以上の電線管１４５ａ，１４５ｂを含みうる。
【００２８】
電線管１４５ａ，１４５ｂは、床１１５の下（例えば、１４５ｂの位置）、地上、あるいは天井１２０の上方（例えば、１４５ａの位置）に配置されていてもよい。天井裏電線管１４５ａは床に取り付けられていない要素（例えば、モニター要素１２５ａ）に電力を供給してもよい一方、床下電線管１４５ｂは床に取り付けられている要素（例えば、放射線部材１２５ｂ）あるいは重力で所定の位置に保持されている要素に電力を供給しうる。
【００２９】
電源室１３５及び／又は電源１４０は、少なくとも４８０ＶＡＣあるいは少なくとも２０８ＶＡＣを採用する電力を提供するように構成しうる。さらに、電源室１３５は、所望の電力、例えば４８０ＶＡＣ，２０８ＶＡＣ、あるいはあらゆる他の所望の電力を提供するように構成される昇圧器１５５を含んでもよい。
【００３０】
外来外科センター１００は、停電中にハイブリッド手術室１０５における外科手術を継続しうるように構成された、撮像装置１２５ａ，１２５ｂ用の緊急電源１４５をさらに含みうる。緊急電源１４５は、例えば、発電機、無停電電源、または非緊急状態で使用される電力とは異なる他の電源であってよい。緊急電源１４５は、撮像装置１２５ａ，１２５ｂだけでなく、これ以外の他の装置や局面に対して緊急電力を供給するように構成されていてもよい。例えば、緊急電源１４５は、複数の装置用のクリティカルな電力バスあるいはクリティカルな電源盤を提供するように構成してもよい。
【００３１】
外来外科センター１００は、医療用ガスの供給と備蓄用に構成された設備１５０も含みうる。医療用ガスは、酸素と共に、例えば亜酸化窒素のような麻酔ガスを含みうる。医療用ガス設備１５０は、吸引も提供することができる。したがって、医療用ガス設備１５０は、廃棄トラップ（図示せず）と共に、壁にある配管系統（図示せず）に取り付け得る。本発明のある実施態様において、この配管系統は、中央医療ガス室へと通じていてもよく、そこからガスと吸引とをハイブリッド手術室１０５のような複数のハイブリッド手術室に提供する。
【００３２】
外来外科センター１００は、換気システム１６０をさらに含みうる。換気システム１６０は、単位時間当たりの最小あるいは最大数の換気、あるいはその間のあらゆる所望の換気速度を提供するように構成しうる。例えば、単位時間当たりの最小数の換気は、本発明のある実施態様においては、単位時間当たり６室、１０室、１５室、または２０室の換気、あるいはあらゆる他の所望の速度でありうる。
【００３３】
外来外科センター１００は、木材フレームの建築物構造を含みうる。例えば、外来外科センター１００は事務所用建築物に適切な建築基準により構築しうる。例えば、外来外科センター１００は、国際建築基準（ＩＢＣ）クラスＢ基準（あるいは可燃性建築資材を用いることを許容するそのような他の基準）に則って構築しうる。ある実施態様において、建築物は当初、クラスＢ基準により構築され、その後、全体或いは部分的に他の基準に変更されていてもよい。ある場合には、クラスＩ構造を外来外科センターとして用いてもよい。
【００３４】
例えば、ある実施態様において、外来外科センターは、診療所のような事務所に隣接し、当該事務所から少なくとも１つの防火壁によって隔離されていてもよい。したがって、例えば、ある実施態様においては、防火壁及び他の改善手法を、既存の事務所用建築物または事務所用建築物用途に適切に構築された他の建築物に加えうる。ある実施態様において、外来外科センターは例えば、小規模ショッピングセンター内にあってもよく、あるいは他の事業体と壁を共有するような他の構造中にあってもよく、当該事業体は医療と無関係であってよい。例えば、他の事務所はレストランであってよく、防火壁が、レストランから当該外来外科センターの全部あるいはその一部を隔離していてもよい。他の場合においては、外来外科センターは、関連する診療所あるいは当該外来外科センターに無関係な建築物の他の部分から防火壁によって隔離されていてよい。
【００３５】
本発明のある実施態様において、外来外科センター１００は、病院に隣接も病院内に存在もしていなくてもよい。実際に、本発明のある実施態様において、外来外科センター１００は物理的に病院に近接していなくてもよい。さらに、外来外科センター１００は、どの病院とも提携していなくてもよい。
【００３６】
外来外科センター１００はそれ自身が病院でなくてよい。さらに、外来外科センター１００は、患者が２３時間を超えて滞在してもよいように構成されている入院患者室を排除しうる。外来外科センターは病院用ベッドを備えている部屋を含まなくてもよい。同様に、外来外科センター１００は、外来外科センター１００内で、５または１０、もしくはその中間の数といった所定数を超えない数の外科専門分野における医療処置を提供することに専ら従事する医療専門家及び医療支援スタッフによって運営されうる。さらに、外来外科センター１００は、床面積で２０，０００平方フィートあるいはそれ以下でありうる。さらに、ある実施態様において、ハイブリッド手術室は、２０，０００平方フィート以下の建築物であって、外来外科センターである必要がない建築物内に設置しうる。
【００３７】
図２は、本発明のある実施態様による、外来外科センターの製作方法を示す。当該方法は、２０５において、ハイブリッド手術室を建築することを含みうる。ハイブリッド手術室は１以上の鉛遮蔽壁、床、及び天井を含みうる。ハイブリッド手術室の建築は、既存の部屋をリノベーションによってハイブリッド手術室に変換することを含んでいてもよいしハイブリッド手術室を収容する建築物の構築中にハイブリッド手術室を建設することを含んでいてもよい。
【００３８】
当該方法は、２１０において、壁を鉛あるいは他の適切な遮蔽材料で遮蔽することも含みうる。鉛遮蔽壁は、所定の限度、例えば８フィートよりも低い高さまで遮蔽されうる。遮蔽は、ある実施態様においては、少なくとも７フィートの高さまで延在してもよい。天井は未遮蔽でありうる。床もまた、例えば、外来外科センターが地階あるいは人間のための他の空間を持たない建築物の１階にある場合、未遮蔽でありうる。
【００３９】
当該方法は、さらに２１５において、ハイブリッド手術室の中央領域に配置される撮像装置を据え付けることを含みうる。撮像装置は、それ自身がＸ線透視装置でもよいし、Ｘ線透視装置を含んでいてもよい。Ｘ線透視装置は固定式Ｃアーム装置でありうる。
【００４０】
当該方法は、２２０において、ハイブリッド手術室の中央領域に配置される手術台を据え付けることを含みうる。手術台は、特にＸ線透視装置の作動範囲内に患者を位置するように据え付けられ配置されうる。
【００４１】
当該方法は、２２５において、手術室に隣接する電源室を建築することをさらに含みうる。この電源室の建築は、ある場合において、既存の事務所用建築物構造をリノベーションすることでもよい。建築は、当初、国際建築基準（ＩＢＣ）クラスＢ基準、例えばこれらの基準の２０１２年版あるいは同様の基準に則って構築された建築物から外来外科センターを構築することを含みうる。
【００４２】
当該方法は、２３０において、電源室に撮像装置用電源を据え付けることも含みうる。電源は、電力会社から電気を受け取り、これを処理し、これを撮像装置に供給するように据え付けられてもよい。電源室及び／又は電源は４８０ＶＡＣで電力を供給するように構成しうる。
【００４３】
当該方法は、２３５において、撮像装置に対して電源室から電力を供給するように構成されている１つ以上の電線管を取り付けることをさらに含みうる。これらの電線管は、ハイブリッド手術室の床下及び／又はハイブリッド手術室の天井またはその上方に配置しうる。
【００４４】
当該方法はさらに、２４０において、停電中にハイブリッド手術室における外科手術を継続しうるように構成された、少なくとも撮像装置用の緊急電源を据え付けることを含みうる。この緊急電源は、もしそれが発電機あるいは一組のバッテリである場合、外来外科センターの壁の外側に据え付けてもよく、また電源室及び／又は電源に結びつけられて接続されていてもよい。
【００４５】
外来外科センターは、木材フレームの建築物を含むことができ、図１を参照して上述したように、国際建築基準（ＩＢＣ）クラスＢ基準（あるいは可燃性建築資材を用いることを許容するようなそのような他の基準）に則って構築しうる。建築物のフレームの他の構築も許容される。例えば外来外科センターは、鉄、コンクリート、あるいは石造りフレームの建築物構造を含みうる。
【００４６】
当該方法は、２４５において、床に撮像装置の放射線部材を永久的に固定することと、２５０において、天井に撮像装置のモニター部材を永久的に固定することを含みうる。モニター部材と放射線部材とは各々可動部を含んでいてもよいが、床及び天井における特定の箇所にしっかりと固定していてもよい。
【００４７】
当該方法は、２５５において、外来外科センターに換気システムを据え付けることを含んでもよく、ここで換気システムは、単位時間当たり２０室の換気（あるいは他の所望の換気速度）を提供するように構成されている。
【００４８】
上記の方法工程は特定の順に記述し図解されている。しかし、この順は単に理解を容易にするためであり、工程は列挙されている順に行わなければならないことを意味しない。例えば、緊急電源の据え付けは、他の工程に対して特定の順である必要はない。床下、壁内、あるいは天井の上方で行わなければならない工程は、撮像設備及び手術台を据え付ける前に行ってもよい。したがって、工程順は所望に応じて、あるいは必要に応じて変更してもよい。
【００４９】
図３は、本発明のある実施態様による他の外来外科センターの断面図を示す。図３は、放射線部材１２５ｂが床１１５の代わりに天井１２０に固定されて示されている点で、図１と相違する。他の実施も可能である。
【００５０】
当業者は、上記に述べた本発明が異なる順の工程で及び／または開示されているものとは異なる構成におけるハードウェア要素で為しうることを容易に理解するであろう。したがって、本発明はこれらの好ましい実施態様に基づいて説明されたが、本発明の要旨とその範囲内において、ある改変、変更、及び代替の構成が自明であることは、当業者にとって自明であろう。したがって、本発明の境界及び範囲を決定するために、添付の特許請求の範囲を参照すべきである。
【図１】
2018505332.tif 000003
【図２】
2018505332.tif 000004
【図３】
2018505332.tif 000005
【国際調査報告】
2018505332.tif 000006
2018505332.tif 000007
2018505332.tif 000008